(57)【要約】【課題】運搬や保管中にプレパラートが移動したり、破損したりすることがなく、誤って落下させてもプレパラートが破損したり散乱することがなく、小さなスペース及び動作でカバーを装着できる、使い勝手のよいプレパラート収納マッペを提供する。【解決手段】カバー３の裏面の周縁部にＬ字状の鉤状部材３ａが設けられており、マッペ本体２のフレーム２ｂに前記鉤状部材３ａと係合する係合凹部２ａが設けられているプレパラート収納マッペ１である。【選択図】図１
2016120945.tif 000002
【特許請求の範囲】
【請求項１】
マッペ本体とカバーからなるプレパラート収納マッペであって、
カバー裏面にはＬ字状の鉤状部材が設けられており、
マッペ本体のフレームに前記鉤状部材と係合する係合凹部が設けられていることを特徴とするプレパラート収納マッペ。
【請求項２】
マッペ本体とカバーからなるプレパラート収納マッペであって、
マッペ本体のフレームにはＬ字状の鉤状部材が設けられており、
カバー裏面に前記鉤状部材と係合する係合凹部が設けられていることを特徴とするプレパラート収納マッペ。
【請求項３】
マッペ本体が、フレームと、該フレームの裏面に張設された台紙からなることを特徴とする請求項１又は２に記載のプレパラート収納マッペ。
【請求項４】
マッペ本体が、プレパラートを載置するための載置部を有する上部材と、台紙と、当該台紙を載置可能な下部材と、からなり、
下部材は矩形状広枠の内部に台紙を載置可能な支持桟が架設されており、
上部材と下部材との間に台紙が挟着されることを特徴とする請求項１又は２に記載のプレパラート収納マッペ。
【請求項５】
カバーの裏面にプレパラートを押圧するための押え部が設けられていることを特徴とする請求項１乃至４のいずれか１項に記載のプレパラート収納マッペ。
【発明の詳細な説明】
【技術分野】
【０００１】
本発明は、プレパラート収納マッペに関し、更に詳しくは、プレパラートの上面を覆って保護するカバーを備えたプレパラート収納マッペに関する。
【背景技術】
【０００２】
従来より、病理検査標本等のプレパラートを横方向にならべて載置するために、プレパラート収納マッペ（以後、単にマッペと称することがある）と呼ばれるトレイ状の容器が使用されている。マッペとしては、木製のフレームに台紙を貼着しプレパラートが一枚だけ入る大きさに区画された凹状の収容室が多数配列されている構造をしたものが使用され、近年では樹脂製のもの（例えば特許文献１）や、２枚以上のプレパラートを並列収容できる凹状の収容室を設けた構造のもの（例えば特許文献２）などがある。
【０００３】
このようなマッペを利用すれば、スライドガラスを多数広げてそれぞれに病理細胞などの標本を乗せることにより、一度に多数のプレパラートを作成することができる。しかしながら、プレパラートが収容された状態でマッペを運搬したり保管する場合、プレパラートがマッペから落ちないように、細心の注意を払って常に水平状態を保つ必要があった。また、運搬中や取り扱い中にマッペを誤って落下した場合は、プレパラートが破損したり、破損がない場合でもプレパラートが床等に散乱してしまい、元通りにプレパラートを並べなおす手間が煩雑で、作業性を低下させるという問題があった。
【先行技術文献】
【特許文献】
【０００４】
【特許文献１】特開平７−２９１３８６号公報
【特許文献２】特開平８−３３７２７９号公報
【発明の概要】
【発明が解決しようとする課題】
【０００５】
本発明は、上記の如き問題を解消し、運搬や保管中にマッペ内でプレパラートが移動したり損傷したりすることがなく、誤って落下させた場合でも破損したり床等に散乱することがない、使い勝手の良いプレパラート収納マッペを提供するものである。
【課題を解決するための手段】
【０００６】
上記目的を達成するための本発明の特徴は、マッペ本体とカバーからなるプレパラート収納マッペであって、カバー裏面にはＬ字状の鉤状部材が設けられており、マッペ本体のフレームに前記鉤状部材と係合する係合凹部が設けられているプレパラート収納マッペを内容とする。
【０００７】
本発明の別の特徴は、マッペ本体とカバーからなるプレパラート収納マッペであって、マッペ本体のフレームにはＬ字状の鉤状部材が設けられており、カバー裏面に前記鉤状部材と係合する係合凹部が設けられているプレパラート収納マッペを内容とする。
【０００８】
本発明のさらに別の特徴は、マッペ本体が、フレームと、該フレームの裏面に張設された台紙からなる上記のプレパラート収納マッペを内容とする。
【０００９】
本発明のさらに別の特徴は、マッペ本体が、プレパラートを載置するための載置部を有する上部材と、台紙と、当該台紙を載置可能な下部材と、からなり、下部材は矩形状広枠の内部に台紙を載置可能な支持桟が架設されており、上部材と下部材との間に台紙が挟着される上記のプレパラート収納マッペを内容とする。
【００１０】
本発明のさらに別の特徴は、カバーの裏面にプレパラートを押圧するための押え部が設けられている上記のプレパラート収納マッペを内容とする。
【発明の効果】
【００１１】
本発明のプレパラート収納マッペは、カバー裏面に設けられた鉤状部材又は係合凹部とマッペ本体のフレームに設けられた係合凹部又は鉤状部材が係合又は係合を解除することによりカバーをマッペ本体に装着又は解除するので、上方に大きなスペースを必要とすることなく蓋を開閉することができ、従って狭いスペースでマッペを取り扱う場合でも扱いやすく、カバーが作業の支障とならない。
また、カバーを設けることにより、運搬や保管中にプレパラートが移動して損傷したり、また誤ってマッペを落下させた場合にも、プレパラートが破損したり、破損が無くても床等に散乱したりするトラブルが防止でき、プレパラートを元通りに並べ直すといった手間が不要になるので、作業性が向上する。
更に、カバーの裏面にプラパラートを押圧する押え部を設けることにより、上記効果は一層効果的に発揮される。
【図面の簡単な説明】
【００１２】
【図１】図１は本発明のプレパラート収納マッペの一例を示す分解斜視図である。
【図２】図２は図１において使用されているマッペ本体を示す図であり、（ａ）は平面図、（ｂ）は側面図である。
【図３】図３は図１において使用されているカバーを示す図であり、（ａ）は平面図、（ｂ）は側面図である。
【図４】図４（ａ）はマッペ本体にカバーを装着した状態を示す図であり、 (ｂ）及び（ｃ）は鉤状部材と係合凹部を係合させる方法、（ｄ）は係合させた状態を示す説明図である。
【図５】図５は本発明で使用できる鉤状部材と係合凹部の別例を示す図であり、（ａ）は係合凹部の平面図、（ｂ）は（ａ）のＡ−Ａ断面図、（ｃ）は鉤状部材の底面図、（ｄ）は（ｃ）のＢ−Ｂ断面図である。
【図６】図６（ａ）（ｂ）は図５に示す鉤状部材と係合凹部を係合させる方法を示す説明図である。
【図７】図７は本発明で使用できる鉤状部材と係合凹部の更に別例を示す説明図であり、（ａ）は鉤状部材、（ｂ）係合凹部、（ｃ）は鉤状部材と係合凹部の係合を示す説明図である。
【図８】図８は本発明のプレパラート収納マッペの別例を示す分解斜視図である。
【図９】図９は図８において使用されている上部材の平面図である。
【図１０】図１０は図８において使用されている下部材の平面図である。
【図１１】図１１は図８において使用されているカバーの平面図である。
【図１２】図１２（ａ）は図１１（ａ）のカバーのＤ−Ｄ端面図、（ｂ）は図１０（ａ）の下部材のＣ−Ｃ端面図、（ｃ）は（ｂ）の下部材に（ａ）のカバーを装着した状態を示す説明断面図である。
【図１３】図１３は本発明のプレパラート収納マッペで使用できるマッペ本体の別例を示す図であり、（ａ）は平面図、（ｂ）は側面図、（ｃ）は（ａ）のＥ−Ｅ断面図である。
【図１４】図１４は本発明のプレパラート収納マッペで使用できるカバーの別例を示す図であり、（ａ）は平面図、（ｂ）は側面図、（ｃ）は（ａ）のＦ−Ｆ断面図である。
【図１５】図１５は図１３のマッペ本体の係合凹部に図１４のカバーの鉤状部材を挿入した状態を示す説明図であり、（ａ）は側面図、（ｂ）は断面図である。
【図１６】図１６は図１３のマッペ本体に図１４のカバーを装着した状態を示す説明図であり、（ａ）は側面図、（ｂ）は断面図である。
【発明を実施するための形態】
【００１３】
本発明プレパラート収納マッペ１は、図１乃至図４に示すようにマッペ本体２とカバー３からなり、カバー３の裏面にはＬ字状の鉤状部材３ａが設けられており、マッペ本体２のフレームに前記鉤状部材３ａと係合する係合凹部２ａが設けられていることを特徴とする。本例では、Ｌ字状の鉤状部材３ａは、カバー３の裏面周縁部に設けられている。
【００１４】
本発明で用いるマッペ本体２は、後述の鉤状部材３ａと係合する係合凹部２ａがフレーム２ｂに設けられている点を除き、従来から使用されているマッペと同じでよい。その材質も樹脂製、金属製、木製等特に制限されないが、成形性、耐水性、軽量性、コストの観点から樹脂製が好ましい。樹脂としては特に限定されないが、具体的には、ポリアセタール樹脂、フッ素樹脂、ポリカーボネート樹脂、ポリアミド（ナイロン）樹脂、ポリエステル樹脂等が挙げられる。また、ポリ乳酸樹脂、ポリブチレンサクシネート、ポリアミド１１、ポリヒドロキシ酪酸等の生分解性プラスチックやバイオマスプラスチック等も使用可能である。
【００１５】
図１及び図２に示した例においては、障子の桟状に組まれた木枠の裏面に台紙４を貼り付けたマッペ本体２が使用されている。
【００１６】
本発明において、カバー３とは実質的に平板状の部材であって、マッペ本体２に装着されて、該マッペ本体２の表面全面を覆い、プレパラートを保護するための部材である。
カバー３の材質は特に限定されないが、透明材料を使用すればプレパラートがマッペカバー１により保護された状態でプレパラートを観察できるので好ましい。具体的には、ポリメチルペンテン（ＴＰＸ）、ポリメタクリル酸メチル（ＰＭＭＡ）、ポリスチレン（ＰＳ）、アクリロニトリル・スチレン樹脂（ＡＳ）、ポリエチレンテレフタレート（ＰＥＴ）、ポリエチレンナフタレート（ＰＥＮ）、ポリフェニレンスルフィド（ＰＰＳ）、ポリカーボネート（ＰＣ）、ポリアリレート（ＰＡｒ）、ポリスルホン（ＰＳＦ）、ポリエステル（ＰＥ）、ポリエーテルスルホン（ＰＥＳ）、ポリエーテルイミド（ＰＥＩ）、シクロオレフィンポリマー（ＣＯＰ）、透明ポリイミド（ＰＩ）等の合成樹脂が挙げられる。
【００１７】
本発明で使用するカバー３の裏面の周縁部には、鉤状部材３ａが設けられている。鉤状部材３ａはＬ字状の部材であって、マッペ本体２のフレーム２ｂに設けられた係合凹部２ａと係合するように構成される。
鉤状部材３ａ及び係合凹部２ａの具体的な構成は、互いに係合可能である限り特に限定されないが、図示したような構造が例示できる。本例では図４に示すように、鉤状部材３ａは縦方向の部材３ａ１と横方向の部材３ａ２からなるＬ字状からなり、係合凹部２ａは鉤状部材３ａを収容する縦方向の凹部２ａ１と横方向の凹部２ａ２とからなっている（図４（ｂ））。そして、鉤状部材３ａを係合凹部２ａの縦方向の凹部２ａ１内に挿入した後、鉤状部材３ａを横方向にわずかにスライドさせ、横方向の部材３ａ２を係合凹部２ａの横方向の凹部２ａ２に嵌合させることにより、鉤状部材３ａと係合凹部２ａが係合するように構成されている（図４（ｃ））。
なお、図１乃至図４に示した例において、鉤状部材３ａはカバー３の端部に設けられ、係合凹部２ａはフレーム２ｂの端部に設けられているが、図５に示すように、プレパラートを出し入れする際に邪魔にならない程度に、端部より内側に鉤状部材３ａや係合凹部２ａを設けることもできる。
なお、図５では、マッペ本体２、フレーム３の各コーナー部に設けた例で、鉤状部材３ａ及び係合凹部２ａも図１乃至図４に示したのと同様、係合凹部２ａ内に鉤状部材３ａを挿入できるようになっており（図６（ａ））、係合凹部２ａ内に挿入した鉤状部材を横方向にわずかにスライドさせることにより、鉤状部材３ａと係合凹部２ａが係合するように構成されている（図６（ｂ））。
【００１８】
また、鉤状部材３ａ及び係合凹部２ａの好ましい例として、図７に示した構造を例示できる。図７（ａ）に示した鉤状部材３ａは、横方向の部材３ａ２が二股になっており、かつ先細りの形状になっている。図７（ｂ）に示した係合凹部２ａの形状については、横方向の凹部２ａ２が先細りの形状になっており、かつ先端部分の広さが鉤状部材３ａの二股になった先端部の間隔よりも狭くなっている。従って図７（ａ）に示した鉤状部材３ａを図７（ｂ）に示す係合凹部２ａに係合させれば、鉤状部材３ａの横方向の部材３ａ２の二股になった先端部の間隔が圧縮されて弾性反発力が発生する。この弾性反発力により鉤状部材３ａの横方向の部材３ａ２の二股になった先端部が係合凹部２ａの横方向の凹部２ａ２の内壁を押圧し、摩擦力が発生するので、この摩擦力により鉤状部材３ａが係合凹部２ａから抜けにくくなり、カバー３はマッペ本体２にしっかり装着され、不用意に外れるようなことがない。
【００１９】
図８乃至図１０は、本発明のプレパラート収納マッペの他の例を示すもので、台紙の取り扱いを容易にするために、フレーム２ｂを上部材２ｃと下部材２ｄに分けて構成した例である。
この実施例において、マッペ本体２は上部材２ｃと台紙４と下部材２ｄからなり、係合凹部２ａが下部材２ｄに設けられている。なお、本実施例においては係合凹部２ａは下部材２ｄに設けられているが、上部材２ｃに係合凹部２ａを設けてもよい。
【００２０】
図９に本実施例のマッペ１で用いる上部材２ｃを示す。この上部材２ｃにはプレパラートを載置するための載置部２ｃ１が設けられている。本発明において、載置部２ｃ１の大きさについては、内部にプレパラートを収容可能な大きさであれば特に限定されず、例えば図２に示したようにプレパラートＰが一枚だけ収容できる窪み（収納部）を多数配列した構造でもよいが、短辺側がプレパラートＰの長さより僅かに長く、長辺側が上部材２ｃの幅全体に広がる程度の長さとすれば、構造が単純で載置部２ｃ１内に多数のプレパラートＰを載置できる構造としてもよい。この場合図９に示すように、載置部２ｃ１の内部をプレパラート一枚毎に区切る突起状の仕切り２ｃ２を設けてもよい。図９に示した例では前記のような形状の載置部２ｃ１を上下に２個（２列）設けているが、本発明では載置部３を１個（１列）でも２個以上の多数個（多数列）設けてもよい。
【００２１】
本実施例のマッペ１で用いられる下部材２ｄは、図１０に示すように、上述の上部材２ｃを嵌着するための矩形状広枠２ｄ１が設けられると共に、当該矩形状広枠２ｄ１の内部に台紙４を載置可能な支持桟２ｄ２が架設された構造からなる。なお、Ｃ−Ｃ端面図は説明の便宜上図１２（ｂ）に示す。
なお、図１０に示した例において、支持桟２ｄ２は下部材２ｄの中央から放射状に形成されているが本発明においてはこれに限定されず、例えば、矩形状広枠２ｄ１の短辺又は長辺と平行に川の字状に架設してもよいし、又は格子状に架設してもよい。このように構成すれば、軽量化されるばかりでなく、支持桟２ｄ２の隙間から指を挿入することにより支持桟２ｄ２上の台紙を容易に取り除くことができるので好ましい。
【００２２】
本実施例のマッペ１で使用される台紙４はシート状部材であって、上部材２ｃと下部材２ｄの間に介設され、挟持される。台紙４は、プレパラートの観察の妨げになるような模様等が付されていないのが好ましいが、プレパラートの観察の妨げにならない位置（例えば裏面等）に、位置決めのための目印や模様等を付してもよい。
台紙４の材質は特に限定されず、無発泡又は発泡樹脂フィルムやシート、織布、不織布、紙等が挙げられるが、安価且つ軽量で、こぼれた薬液の吸収性も良い点で紙製が好ましい。
【００２３】
本実施例のマッペ１で使用されるカバー３を図１１に示す。本実施例のカバー３も図３に示したカバーと同様、裏面の周縁部に鉤状部材３ａが設けられている。このカバー３のＤ−Ｄ端面図は、説明の便宜上図１２（ａ）に示す。
本実施例では、上記カバー３の鉤状部材３ａは図１０に示す下部材２ｄに設けられた係合凹部２ａと係合するように構成されている。
本実施例において、カバー３を下部材２ｄに装着するには、図１２に示す通り、カバー３の裏面の鉤状部材３ａを下部材２ｄの係合凹部２ａに挿入し、そのあとで、カバー３を横方向（図１２における右方向）にわずかにスライドさせればよい。下部材２ｄにカバー３を装着した状態の説明図を図１２（ｃ）に示す。図１２（ｃ）は、下部材２ｄのＣ−Ｃ端面図（図１２（ｂ））とカバー３のＤ−Ｄ端面図（図１２（ａ））を組み合わせることにより、下部材２ｄにカバー３を装着した状態における鉤状部材３ａと係合凹部２ａの位置関係を示している。
【００２４】
本発明で用いるカバー３には、本発明の目的を損なわない限り、付加的な構成を付け加えることができる。図１３乃至図１６に示す実施例においては、カバー３にプレパラートＰを上方から押圧してプレパラートの搖動を防ぐための押え部３ｂが設けられている。
【００２５】
本実施例においては、マッペ本体２として、図１３に示すような、載置部２ｃ１の短辺側がプレパラートＰの長さより僅かに長く、長辺側が上部材２ｃの幅全体に広がる程度の長さのものが使用されている。
このマッペ本体２と共に用いるカバー３としては、図１４に示すような、裏面に押え部３ｂが設けられたものが使用されている。この押え部３ｂは前記載置部２ｃ１に遊嵌される程度の形状であり、短辺は載置部２ｃ１の短辺とほぼ同様であるが、カバー３をマッペ本体２に装着する際のスライド長さＬの分だけ長辺が載置部２ｃ１の長辺よりも短く形成されている。
【００２６】
このようなカバー３をマッペ本体２に装着するには、まず、カバー３の鉤状部材３ａをマッペ本体２のフレーム２ｂに穿設された係合凹部２ａに挿入する。この段階では図１５に示すように、押え部３ｂのスライド方向後側（図１５における左側）が載置部２ｃ１のスライド方向後側と近接しており、スライド方向前側（図１５における右側）に隙間が出来ている。
その後、カバー３をスライドさせて、図１６に示すように鉤状部材３ａと係合凹部２ａを係合させる。この際、図１６に示すように、押え部３ｂのスライド方向前側（図１６における右側）が載置部２ｃ１のスライド方向前側と近接し、スライド方向後側に隙間が出来るが、収納したプレパラートＰは押え部３ｂにより上方から押圧され、搖動が防止される。
【００２７】
押え部３ｂは、図１や図９に示すようなプレパラート１枚毎収納するように区画されたタイプのマッペにおいても、押え部３ｂを各区画内で上記スライド長さＬの分だけ前側にスライドできるように寸法を設計しておくことにより可能である。
尚、押え部３ｂは、必要に応じ、軟質の樹脂や発泡樹脂、ゴム等の軟質素材でも作ることができ、また、押え部３ｂの表面にこれらの軟質部材を設けることも可能である。このようにすることにより、プレパラートを割れや欠けから一層効果的に保護することが可能である。
【００２８】
上記においては、カバー裏面に鉤状突起を設け、マッペ本体に係合凹部を設けた例を示したが、これとは逆に、マッペ本体に鉤状部材を設け、カバー裏面に係合凹部を設けることも可能である。
【産業上の利用可能性】
【００２９】
叙上のとおり、本発明のプレパラート収納マッペは、マッペ本体の上面をカバーで覆うことによりプレパラートを保護し、折り扱い性を高めるとともに、破損や散乱を防ぐことができ、さらにわずかなスペースと動作でカバーを装着できるので、極めて作業性が良好である。
【符号の説明】
【００３０】
１  プレパラート収納マッペ
２  マッペ本体
２ａ  係合凹部
２ａ１  縦方向の凹部
２ａ２  横方向の凹部
２ｂ  フレーム
２ｃ  上部材
２ｃ１  載置部
２ｃ２  仕切り
２ｄ  下部材
２ｄ１  矩形状広枠
２ｄ２  支持桟
３  カバー
３ａ  鉤状部材
３ａ１  縦方向の部材
３ａ２  横方向の部材
３ｂ  押え部
４  台紙
Ｌ  スライド長さ
Ｐ  プレパラート
【図１】
2016120945.tif 000003
【図２】
2016120945.tif 000004
【図３】
2016120945.tif 000005
【図４】
2016120945.tif 000006
【図５】
2016120945.tif 000007
【図６】
2016120945.tif 000008
【図７】
2016120945.tif 000009
【図８】
2016120945.tif 000010
【図９】
2016120945.tif 000011
【図１０】
2016120945.tif 000012
【図１１】
2016120945.tif 000013
【図１２】
2016120945.tif 000014
【図１３】
2016120945.tif 000015
【図１４】
2016120945.tif 000016
【図１５】
2016120945.tif 000017
【図１６】
2016120945.tif 000018